(57)【要約】【課題】ヒートポンプサイクルによる熱媒体の加熱と循環により、複数の洗浄液の安定した加熱およびの温度を精度よく調節できるようにするとともに、省電力化を図る。【解決手段】ヒートポンプサイクルを構成した冷媒回路５と、前記ヒートポンプサイクルの放熱器２によって加熱された熱媒体を貯留する貯留槽９と、複数の洗浄液１９ａ〜１９ｆを各々貯留する洗浄槽１８ａ〜１８ｆと、前記熱媒体と洗浄液とを熱交換させる複数の洗浄液熱交換器２１ａ〜２１ｆと備え、前記熱媒体で洗浄液熱交換器を加熱し、熱媒体の循環量または洗浄液の循環量により、複数の洗浄液を所定の温度に調節することを特徴とするものである。【選択図】図１
2005199119.tif 000002
【特許請求の範囲】
【請求項１】
圧縮機、放熱器、減圧装置、大気熱を吸熱する空気熱交換器を順次環状に接続してなるヒートポンプサイクルを構成した冷媒回路と、前記ヒートポンプサイクルの放熱器によって加熱された熱媒体を貯留する貯留槽と、異なる温度に設定した洗浄液を含む複数の洗浄液を各々貯留する洗浄槽と、前記熱媒体と洗浄液とを熱交換させる複数の洗浄液熱交換器と備え、前記貯留槽内の熱媒体を前記複数の洗浄液熱交換器を加熱するように供給して貯留槽にリターンさせるとともに、熱媒体の循環量または洗浄液の循環量により前記洗浄液を所定の温度に調節することを特徴とする洗浄装置。
【請求項２】
洗浄槽への洗浄液の補給水と熱媒体との熱交換を行う補給水熱交換器を備え、前記補給水熱交換器を加熱するように貯留槽内の熱媒体を供給して補給水を予熱する請求項１に記載の洗浄装置。
【請求項３】
空気と熱媒体との熱交換を行う熱風発生熱交換器を備え、前記熱風発生熱交換器を加熱するように貯留槽内の熱媒体を供給して被洗浄物の乾燥を行う請求項１または２に記載の洗浄装置。
【請求項４】
暖房熱交換器または手洗い水、飲用水などの給水加熱熱交換器を備え、前記暖房熱交換器または手洗い、飲用水などの給水加熱熱交換器を加熱するように貯留槽内の熱媒体を供給する請求項１から３のいずれか１項に記載の洗浄装置。
【請求項５】
異なる温度に設定した複数の洗浄液の内、より高温に設定された洗浄液の洗浄液熱交換器側から、より低温に設定された洗浄液の洗浄液熱交換器側を加熱するように、貯留槽内の熱媒体を順次供給して貯留槽にリターンさせる請求項１に記載の洗浄装置。
【請求項６】
空気と前記熱媒体との熱交換を行う熱風発生熱交換器または暖房熱交換器を加熱するように供給した後、複数の洗浄液熱交換器を加熱するように貯留槽内の熱媒体を順次供給して貯留槽にリターンさせる請求項５に記載の洗浄装置。
【請求項７】
複数の洗浄液熱交換器を加熱するように供給した後、補給水供給路に設けた補給水と熱媒体との熱交換を行う補給水熱交換器または手洗い水、飲用水などの給水加熱熱交換器を加熱するように貯留槽内の熱媒体を順次供給して貯留槽にリターンさせる請求項５または６に記載の洗浄装置。
【請求項８】
貯留槽の下部、循環ポンプ、ヒートポンプサイクルの放熱器と熱媒体との熱交換を行う熱媒体熱交換器、貯留槽上部を順次接続した熱媒体の貯留循環路を備え、前記熱媒体熱交換器に流入する熱媒体が所定温度以下となるように、前記熱媒体熱交換器の入口側に熱媒体の放熱手段を設けた請求項１〜７のいずれか１項に記載の洗浄装置。
【請求項９】
熱媒体熱交換器の入口側の温度が所定温度以上のときは、放熱手段に熱媒体を循環させる切替手段を設けた請求項８に記載の洗浄装置。
【請求項１０】
圧縮機、放熱器、減圧装置、大気熱を吸熱する空気熱交換器、前記空気熱交換器出口の冷媒をより高温に加熱する高温化熱交換器を順次環状に接続してなるヒートポンプサイクルを構成した冷媒回路と、熱媒体で加熱される熱媒体戻熱交換器を備え、前記熱媒体戻熱交換器から高温化熱交換器に熱交換させて冷媒を加熱する請求項１〜９のいずれか１項に記載の洗浄装置。
【請求項１１】
ヒートポンプサイクルの放熱器によって加熱された熱媒体を洗浄槽に供給して前記洗浄槽の洗浄を行う請求項１から１０のいずれか１項に記載の洗浄装置。
【請求項１２】
洗浄槽から洗浄液を排水した後、洗浄槽にヒートポンプサイクルの放熱器によって加熱された熱媒体を供給する請求項１から１１のいずれか１項に記載の洗浄装置。
【請求項１３】
ヒートポンプサイクルに封入する冷媒を二酸化炭素とする請求項１から１２のいずれか１項に記載の洗浄装置。
【発明の詳細な説明】
【技術分野】
【０００１】
本発明は機械加工部品等の被洗浄物に付着した金属粉、ゴミ、油脂等の汚れを洗浄する洗浄装置に関するものである。
【背景技術】
【０００２】
機械加工部品等の被洗浄物に付着した金属粉、ゴミ、油脂等の洗浄手段としては、水系洗浄剤、炭化水素系溶剤、塩素系溶剤、アルコール系溶剤等を用いた洗浄方法及び洗浄装置挙げられる。近年は環境問題、安全性から水系洗浄剤方式が多く用いられているが、洗浄効果を向上させるために洗浄液の一定温度への加熱が必要であり、この加熱源の省エネルギー化が求められている。
【０００３】
洗浄液とともに被洗浄物の熱風による乾燥工程を含めてこれらの加熱手段としては、電気ヒータ、深夜電力を利用した電気温水器、冷媒によるヒートポンプサイクルによるものが知られている。電気ヒータ、電気温水器による手段は電力の消費量が膨大となり、省エネルギー化が求められている。そこで冷媒循環によるヒートポンプサイクルの利用によって、省エネルギー化を図ろうとしているがその代表的な洗浄装置の従来技術を下記に示す。
【０００４】
洗浄剤を用いて機械加工部品または食器等の被洗浄物を洗浄するための洗浄槽、また、例えば３槽からなる洗浄剤除去槽で前記洗浄槽における洗浄工程で洗浄した被洗浄物の表面上に付着している洗浄剤を洗い流すための洗浄剤除去工程部と、前記除去槽における洗浄剤除去後の被洗浄物に対する乾燥工程部を構成している。さらに蒸発濃縮蒸留装置を有し、洗浄槽、洗浄剤除去槽から送り込まれる汚れた水洗水、洗浄水を蒸発、凝縮して蒸留水とし、再度洗浄槽、洗浄剤除去槽に戻してシステムで用いられる水を全量、蒸留水を使用とするものである。前記水洗水、洗浄水を蒸発、凝縮するためにヒートポンプの加熱、冷却機能を利用している。さらに蒸留水タンクおよび前記洗浄剤除去槽の一部をヒータで蒸留水および水洗水を加熱するように適宜制御手段により制御している。さらに被洗浄物を洗浄するための洗浄槽、３槽からなる洗浄剤除去槽の水洗水の一部をヒータで加熱し、順次他の洗浄剤除去槽および洗浄槽に加熱した水洗水を流すようにしたものがある（例えば、特許文献１参照）。
【０００５】
また、ヒートポンプの加熱、冷却機能によって溶剤を蒸発、凝縮をさせて洗浄を行う洗浄装置で、貯留部内の溶剤をヒートポンプの凝縮器で加熱して蒸気とし、蒸気洗浄槽内の溶剤蒸気で被洗浄物を洗浄する。また溶剤蒸気は、ヒートポンプの蒸発器で冷却された冷却管群で凝縮し液化して貯留部に戻すようにしたものがある（例えば、特許文献２参照）。
【特許文献１】特開２０００−５３４号公報（第４頁〜第５頁、第１図、第２図）
【特許文献２】特公平３−３８９１８号公報（第３頁〜第４頁、第１図）
【発明の開示】
【発明が解決しようとする課題】
【０００６】
しかしながら、前記した被洗浄物を洗浄するための洗浄槽、３槽からなる洗浄剤除去槽の水洗水の一部をヒータで加熱し、順次他の洗浄剤除去槽および洗浄槽に加熱した水洗水を流すようにしたものにおいては、ヒータ用電力の消費量が膨大となり、また各洗浄剤除去槽、洗浄槽の水洗水の温度差が大きく精度の良い制御が困難である。
【０００７】
また、ヒートポンプの加熱、冷却機能によって溶剤を蒸発、凝縮をさせて洗浄を行う洗浄装置においては、ヒートポンプの加熱によって一定の省電力は図れるが、外気温度の変化によってヒートポンプの加熱能力および加熱立ち上がりにバラツキを生じやすく、安定した加熱状態が得られない。さらに水系洗浄装置のように洗浄液を複数用いて被洗浄物を洗浄する場合には各洗浄液の加熱を安定して行うことが困難である。
【０００８】
本発明は、前記従来の課題を解決するもので、複数の洗浄液の安定した加熱および各洗浄液の温度を精度よく調節できるようにするとともに、省電力化を図ることを目的とするものである。
【課題を解決するための手段】
【０００９】
前記従来の課題を解決するために本発明の洗浄装置は、圧縮機、放熱器、減圧装置、大気熱を吸熱する空気熱交換器を順次環状に接続してなるヒートポンプサイクルを構成した冷媒回路と、前記ヒートポンプサイクルの放熱器によって加熱された熱媒体を貯留する貯留槽と、異なる温度に設定した洗浄液を含む複数の洗浄液を各々貯留する洗浄槽と、前記熱媒体と洗浄液とを熱交換させる複数の洗浄液熱交換器と備え、前記貯留槽内の熱媒体を前記複数の洗浄液熱交換器を加熱するように供給して貯留槽にリターンさせるとともに、熱媒体の循環量または洗浄液の循環量により前記洗浄液を所定の温度に調節することを特徴とするとするものである。
【発明の効果】
【００１０】
本発明の洗浄装置によれば、ヒートポンプサイクルによる熱媒体の加熱と、熱媒体の循環量または洗浄液の循環量により、複数の洗浄液の安定した加熱および各洗浄液の温度を精度よく調節できるようにするとともに、省電力化を図ることができる。
【発明を実施するための最良の形態】
【００１１】
請求項１に記載の発明は、圧縮機、放熱器、減圧装置、大気熱を吸熱する空気熱交換器を順次環状に接続してなるヒートポンプサイクルを構成した冷媒回路と、前記ヒートポンプサイクルの放熱器によって加熱された熱媒体を貯留する貯留槽と、異なる温度に設定した洗浄液を含む複数の洗浄液を各々貯留する洗浄槽と、前記熱媒体と洗浄液とを熱交換させる複数の洗浄液熱交換器と備え、前記貯留槽内の熱媒体を前記複数の洗浄液熱交換器を加熱するように供給して貯留槽にリターンさせるとともに、熱媒体の循環量または洗浄液の循環量により前記洗浄液を所定の温度に調節することを特徴とするものである。
【００１２】
これによって、ヒートポンプサイクルによる熱媒体の加熱と、熱媒体の循環量または洗浄液の循環量により、複数の洗浄液の安定した加熱および各洗浄液の温度を精度よく調節できるようにするとともに、省電力化を図ることができる。
【００１３】
請求項２に記載の発明は、請求項１記載の洗浄装置において、洗浄槽への洗浄液の補給水と熱媒体との熱交換を行う補給水熱交換器を備え、前記補給水熱交換器を加熱するように貯留槽内の熱媒体を供給して補給水を予熱するものである。
【００１４】
これによって、被洗浄物を洗浄する過程で洗浄槽に補給水を供給して洗浄槽から洗浄液を連続的または間欠的にオーバーフローさせて排水して、洗浄性能を維持するが、この補給水を補給水熱交換器で予熱して供給するので、洗浄槽内の洗浄液の温度変化を少なくすることができる。またヒートポンプサイクルの放熱器で加熱された熱媒体を用いることによって、さらなる省電力を図ることができる。
【００１５】
請求項３に記載の発明は、請求項１または２に記載の洗浄装置において、空気と熱媒体との熱交換を行う熱風発生熱交換器を備え、前記熱風発生熱交換器を加熱するように貯留槽内の熱媒体を供給して被洗浄物の乾燥を行うものである。
【００１６】
これによって、被洗浄物の洗浄に加えてその乾燥までを行う一連の工程の熱源にヒートポンプサイクルの放熱器で加熱された熱媒体を用いることによって、さらなる省電力を図ることができる。
【００１７】
請求項４に記載の発明は、請求項１〜３のいずれか１項に記載の洗浄装置において、暖房熱交換器または手洗い水、飲用水などの給水加熱熱交換器を備え、前記暖房熱交換器または手洗い、飲用水などの給水加熱熱交換器を加熱するように貯留槽内の熱媒体を供給するようにしたものである。
【００１８】
これによって、洗浄装置のある工場内の暖房または作業者用の手洗い水、飲用水などの給水の加熱をヒ８ートポンプサイクルの放熱器で加熱された熱媒体を用いることによって、さらなる省電力化を図ることができる。
【００１９】
請求項５に記載の発明は、請求項１に記載の洗浄装置において、異なる温度に設定した複数の洗浄液の内、より高温に設定された洗浄液の洗浄液熱交換器側から、より低温に設定された洗浄液の洗浄液熱交換器側を加熱するように、前記貯留槽内の熱媒体を順次供給して貯留槽にリターンさせるものである。
【００２０】
これによって、洗浄液の温度変化にも迅速に応答して各洗浄液を設定温度に精度よく調節、維持することができる。さらに各洗浄液を効果的に加熱するとともに熱媒体の熱を有効に活用することができる。
【００２１】
請求項６に記載の発明は、請求項５に記載の洗浄装置において、空気と前記熱媒体との熱交換を行う熱風発生熱交換器または暖房熱交換器を加熱するように供給した後、複数の洗浄液熱交換器を加熱するように貯留槽内の熱媒体を順次供給して貯留槽にリターンさせるものである
これによって、被洗浄物を迅速に乾燥させることができるとともに、熱媒体の熱を有効に活用することができる。
【００２２】
請求項７に記載の発明は、請求項５または６に記載の洗浄装置において、複数の洗浄液熱交換器を加熱するように供給した後、補給水と熱媒体との熱交換を行う補給水熱交換器または手洗い水、飲用水などの給水加熱熱交換器を加熱するように貯留槽内の熱媒体を順次供給して貯留槽にリターンさせるものである。
【００２３】
これによって、各洗浄液を設定温度に精度よく調節、維持することができるとともに、熱媒体の熱を有効に活用することができる。
【００２４】
請求項８に記載の発明は、請求項１から７のいずれか１項に記載の洗浄装置において、
貯留槽の下部、循環ポンプ、ヒートポンプサイクルの放熱器と熱媒体との熱交換を行う熱媒体熱交換器、貯留槽上部を順次接続した熱媒体の貯留循環路を備え、前記熱媒体熱交換器に流入する熱媒体が所定温度以下となるように、前記熱媒体熱交換器の入口側に熱媒体の放熱手段を設けたものである。
【００２５】
これによって、圧縮機の頻繁な運転、停止を抑制し、熱媒体供給路に高温で安定した熱媒体を供給することができるとともに圧縮機の耐久性を向上させ、さらに熱媒体の保有熱を有効に活用することができる。
【００２６】
請求項９に記載の発明は、請求項８に記載の洗浄装置において、熱媒体熱交換器の入口側の温度が所定温度以上のときは、放熱手段に熱媒体を循環させる切替手段を設けたものである。
【００２７】
これによって、圧縮機の頻繁な運転、停止を抑制し、熱媒体供給路に高温で安定した熱媒体を供給することができるとともに圧縮機の耐久性を向上させ、さらに熱媒体の保有熱を有効に活用することができる。
【００２８】
請求項１０に記載の発明は、請求項１〜９のいずれか１項に記載の洗浄装置において、圧縮機、放熱器、減圧装置、大気熱を吸熱する空気熱交換器、前記空気熱交換器出口の冷媒をより高温に加熱する高温化熱交換器を順次環状に接続してなるヒートポンプサイクルを構成した冷媒回路と、熱媒体で加熱される熱媒体戻熱交換器を備え、前記熱媒体戻熱交換器から高温化熱交換器に熱交換させて冷媒を加熱するものである。
【００２９】
これによって、熱媒体戻路からの熱媒体の保有熱を有効に活用して、圧縮機出口の冷媒温度を高温し、ヒートポンプサイクルの高効率化を図ることができる。
【００３０】
請求項１１に記載の発明は、請求項１から１０のいずれか１項に記載の洗浄装置において、ヒートポンプサイクルの放熱器によって加熱された熱媒体を洗浄槽に供給して前記洗浄槽の洗浄を行うものである。これによって、高温の熱媒体で各洗浄槽の洗浄をより効果的に行うことができる。
【００３１】
請求項１２に記載の発明は、請求項１から１１のいずれか１項に記載の洗浄装置において、洗浄槽から洗浄液を排水した後、洗浄槽にヒートポンプサイクルの放熱器によって加熱された熱媒体を供給するものである。各洗浄槽の洗浄後は熱媒体供給管から洗浄液としての熱媒体を供給することによって、低温の洗浄液を供給するのに比べ、被洗浄物の洗浄を開始するまでの時間を短縮することができる。
【００３２】
請求項１３に記載の発明は、請求項１から１２のいずれか１項に記載の洗浄装置において、ヒートポンプサイクルに封入する冷媒を二酸化炭素とするものである。これによって高温高効率の貯湯運転と地球環境保全を実現する。
【００３３】
以下、本発明の実施の形態について図面を参照しながら説明する。
【００３４】
（実施の形態１）
本発明の実施の形態１の洗浄装置を、図１の構成図を参照しながら説明する。
【００３５】
図１において、圧縮機１、放熱器２、減圧装置３、大気熱を吸熱する空気熱交換器４でヒートポンプサイクルの冷媒回路５とし、ヒートポンプユニット６を構成する。冷媒回路５には高圧側の冷媒圧力が臨界圧力以上となる二酸化炭素を冷媒として用いている。７は圧縮機１の出口側に設けた圧力検出器、８は温度検出器である。９は貯留槽、１０は熱媒体熱交換器で放熱器２と熱交換関係を有して、放熱器２に流入する冷媒と熱媒体熱交換器１０から流出する熱媒体を対向流で熱交換する。１１は循環ポンプであり、貯留槽９の下部から循環ポンプ１１、熱媒体熱交換器１０、貯留槽９の上部を順次接続する貯留循環路１２を構成する。１３は熱媒体熱交換器１０から貯留槽９の上部の貯留循環路１２に設けた温度検出器である。１４ａ〜１４ｃは貯留槽９内の熱媒体の温度を上部から順次検出する温度検出器である。
【００３６】
１５は貯留槽９の上部から熱媒体を供給する熱媒体供給路、１６は供給された熱媒体を貯留槽９の下部にリターンさせる熱媒体戻路で、循環ポンプ１７で吸引させるようになっている。１８ａ〜１８ｆは洗浄槽でその各々に洗浄液１９ａ〜１９ｆが一定量貯留してある。２０はオーバーフロー管で洗浄槽１８ａ、１８ｃ、１８ｅにもうけられておりオーバーフロー洗浄液を排出する。２１ａ〜２１ｆは各洗浄液と接触する洗浄液熱交換器、２２ａ〜２２ｆはポンプ、２３ａ〜２３ｆは調節弁で、熱媒体を熱媒体供給路１５から洗浄液熱交換器２１ａ〜２１ｆ、ポンプ２２ａ〜２２ｆ、調節弁２３ａ〜２３ｆを経て熱媒体戻路１６に循環させ、貯留槽９にリターンさせるものである。
【００３７】
本実施の形態の例においては、洗浄槽１８ａ、１８ｂの洗浄剤を含む水道水を用いた洗浄液１９ａ、１９ｂの温度を６０度Ｃ、洗浄槽１８ｃ、１８ｄの水道水を用いた洗浄液１９ｃ、１９ｄの温度を４０度Ｃ、洗浄槽１８ｅ、１８ｆの純水を用いた洗浄液１９ｅ、１９ｆの温度を４０度Ｃに設定したものである。また洗浄槽１８ｂに補給水が供給され、洗浄液１９ｂがオーバーフローして洗浄槽１８ａに流れて洗浄液１９ａとなるとともに、さらにオーバーフロー管２０から排出される構成となっている。同様に洗浄槽１８ｄに補給水が供給され、洗浄液１９ｄがオーバーフローして洗浄槽１８ｃに流れて洗浄液１９ｃとなるとともに、さらにオーバーフロー管２０から排出される構成となっている。さらに洗浄槽１８ｆに補給水が供給され、洗浄液１９ｆがオーバーフローして洗浄槽１８ｅに流れて洗浄液１９ｅとなるとともに、さらにオーバーフロー管２０から排出される構成となっている。また各洗浄槽に洗浄液への超音波付加装置を設けてもよく、この場合にはより被洗浄品の洗浄性能を向上させることができる。また、被洗浄物（図示なし）は洗浄液１９ａ〜１９ｆの順に浸漬、移動させて洗浄するものである。なお、洗浄槽の数、洗浄液の温度などは一例であって、これに限定されるものではない。
【００３８】
２４は被洗浄物の水分を乾燥させる乾燥部、２５は熱風発生熱交換器、２６はポンプ、
２７は調節弁で、熱媒体を熱媒体供給路１５から熱風発生熱交換器２５、ポンプ２６、調節弁２７を経て熱媒体戻路１６に循環させるものである。２８は暖房熱交換器、２９はポンプ、３０は調節弁で、熱媒体を熱媒体供給路１５から暖房熱交換器２８、ポンプ２９、調節弁３０を経て熱媒体戻路１６に循環させ、貯留槽９にリターンさせるものである。
【００３９】
３１は給水熱交換器、３２はポンプ、３３は調節弁で、熱媒体を熱媒体供給路１５から
給水熱交換器３１、ポンプ３２、調節弁３３を経て熱媒体戻路１６に循環させるものである。３４は水道水供給管、３５は温水吐出管で給水熱交換器３１に接続されている。３６は熱媒体を熱媒体供給路１５から分岐した熱媒体供給管、３７は開閉弁で必要時に洗浄槽１８ａ〜１８ｄに熱媒体を供給するものである。
【００４０】
３８は水道水供給管、３９は補給水である水道水を予熱する補給水熱交換器、４０は補給水出口管、４１は熱媒体入口管、４２は熱媒体戻管、４３はポンプ、４４は調節弁で、水道水供給管３８から供給された補給水である水道水を補給水熱交換器３９、補給水出口管４０を経て洗浄槽１８ｂ、１８ｄに供給するものである。このとき熱媒体を熱媒体供給路１５から補給水熱交換器３９に接触させた後、熱媒体戻管４２、ポンプ４３、調節弁４４を経て熱媒体戻路１６に循環させ、貯留槽９にリターンさせるものである。
【００４１】
４５は純水を作成する純水装置、４６は純水供給管、４７は補給水である純水を予熱する補給水熱交換器、４８は補給水出口管、４９は熱媒体入口管、５０は熱媒体戻管、５１はポンプ、５２は調節弁で、補給水である純水を純水装置４５から純水供給管４６、補給水熱交換器４７、補給水出口管４８を経て洗浄槽１８ｆに供給するものである。このとき熱媒体を熱媒体供給路１５から補給水熱交換器４７に接触させた後、熱媒体戻管５０、ポンプ５１、調節弁５２を経て熱媒体戻路１６に循環させ、貯留槽９にリターンさせるものである。５３は水道水供給管で貯留槽９内の熱媒体が消費された分を補給するものである。
なお図中の矢印は、熱媒体、水道水の流れる方向を示す。
【００４２】
以上のように構成された洗浄装置について、以下その基本的な動作、作用を説明する。
【００４３】
図１において、圧縮機１から吐出する臨界圧力以上の高温高圧の冷媒（ＣＯ２）が放熱器２に流入し、ここで循環ポンプ１１により貯留槽９下部から送られてきた熱媒体である水と熱媒体熱交換器１０を介して熱交換する。そして、放熱器２に流入する高温冷媒と熱媒体熱交換器１０から流出する熱媒体（水）を対向流にして熱交換し、放熱器２に流入する高温冷媒で所定の温度に加熱して熱媒体熱交換器１０から貯留槽９の上部へもどす。一方、放熱器２に流入した高温冷媒は放熱作用によって、温度を下げて放熱器２から流出して減圧装置３に流入する。そして、減圧された冷媒を空気熱交換器４に流す。空気熱交換器４に流れた冷媒は大気熱を吸熱して圧縮機１に吸引される。ヒートポンプユニット６の運転を行って、貯留槽９内に例えば９０度Ｃの高温の熱媒体を貯留する。
【００４４】
また、圧力検出器７、温度検出器８の検出信号によって圧縮機１の能力、安全制御を行うとともに、温度検出器１３の検出信号によって循環ポンプ１１の回転数可変等の手段を用いて、熱媒体熱交換器１０を流れる熱媒体の循環量を制御して、最も加熱効率よい運転状態を維持するように構成されている。さらに１４ａ〜１４ｃは貯留槽９内の熱媒体の温度を上部から順次検出する温度検出器１４ａ〜１４ｃによって沸き上げ状態を検出するものである。
【００４５】
さらに、貯留槽９内の熱媒体の沸き上げは、洗浄作業を休止している深夜電力時間帯にヒートポンプユニット６を駆動して貯留運転行い、洗浄作業中は必要に応じてヒートポンプユニット６を駆動して貯留追炊き運転を行うことを標準的な運転パターンとしている。
貯留槽の容積設定は、洗浄装置全体の熱負荷、ヒートポンプユニット６の加熱能力等を考慮して設定し、また貯留槽を複数に分割した構成であってもよい。貯留槽に対して複数のヒートポンプユニット６を備えて個別運転を制御するようにしてもよく、この場合には加熱能力調節幅の拡大および一部ヒートポンプユニット６の万一の故障等に対しても洗浄装置の使用を可能とすることができる。
【００４６】
次に洗浄、乾燥運転の動作、作用を説明する。貯留槽９内の熱媒体の所定沸き上げ状態を検出し、循環ポンプ１７を駆動して熱媒体供給路１５に高温熱媒体を供給する。洗浄槽１８ａ〜１８ｆ内の洗浄液１９ａ〜１９ｆは、ポンプ２２ａ〜２２ｆを駆動させることによって、熱媒体供給路１５から洗浄液熱交換器２１ａ〜２１ｆを加熱するように供給された熱媒体で加熱されることになる。熱媒体は調節弁２３ａ〜２３ｆを経て熱媒体戻路１６に流れ循環ポンプ１７で吸引されて貯留槽９の下部にリターンする循環路を構成する。調節弁２３ａ〜２３ｆは洗浄液熱交換器２１ａ〜２１ｆに供給する熱媒体の循環量を制御し、洗浄液１９ａ〜１９ｆを設定温度に調節するものである。洗浄液熱交換器２１ａ〜２１ｆに供給する熱媒体の循環量は、ポンプ２２ａ〜２２ｆの各々を回転数可変としてもよい。さらに洗浄液１９ａ〜１９ｆの各々の温度を検出し、この検出値に基づいて調節弁２３ａ〜２３ｆの開度またはポンプ２２ａ〜２２ｆの回転数を制御することによって、洗浄液１９ａ〜１９ｆの各々を設定温度に自動調節することができる。
【００４７】
また、被洗浄物は洗浄液１９ａ〜１９ｆの順に浸漬、移動させて洗浄するものであるが、常温の被洗浄物は最初に洗浄液１９ａに浸漬されるので、この洗浄液１９ａが被洗浄物によって冷却され温度が低下しやすく、以降被洗浄物が洗浄液１９ｂ〜１９ｆに移動するにしたがって冷却の度合いは減ることになる。このように洗浄液１９ａ〜１９ｆの温度は、被洗浄物の移動、処理量、熱容量等によって変化しやすいが、洗浄液１９ａ〜１９ｆごとに対応して洗浄液熱交換器２１ａ〜２１ｆを設け、これらへの熱媒体の循環量を制御することによって、洗浄液の温度変化にも迅速に応答して各洗浄液を設定温度に精度よく調節、維持することができる。
【００４８】
次に乾燥部２４について動作を説明する。ポンプ２６を駆動させることによって、熱媒体供給路１５から熱風発生熱交換器２５を加熱するように熱媒体を供給し、熱風発生熱交換器２５で乾燥用空気を加熱し、送風機（図示なし）を用いて熱風を発生させ被洗浄物を乾燥する。熱媒体は調節弁２７を経て熱媒体戻路１６に流れ循環ポンプ１７で吸引されて貯留槽９の下部にリターンする循環路を構成する。調節弁２７は熱風発生熱交換器２５に供給する熱媒体の循環量を調節するものである。また熱風発生熱交換器２５加熱するように供給する熱媒体の循環量は、ポンプ２６を回転数可変としてもよい。さらに熱風の温度を検出し、この検出値に基づいて調節弁２７の開度またはポンプ２６の回転数を制御することによって、熱風を設定温度に自動調節することができる。
【００４９】
さらに被洗浄物の乾燥が不要である場合や待機状態にある場合には、ポンプ２６を駆動停止または調節弁２７を閉止させて、熱風発生熱交換器２５への熱媒体の供給を止める。これによって洗浄、乾燥等の稼動状況に応じて乾燥部２４を制御し、無駄な熱放散を防止することができる。これによって被洗浄物の洗浄に加えてその乾燥までを行う一連の工程の熱源にヒートポンプサイクルの放熱器によって加熱された熱媒体を用いることによって、さらなる省電力を図ることができる。
【００５０】
また、ポンプ２９を駆動させることによって、熱媒体を熱媒体供給路１５から暖房熱交換器２８を加熱するように供給し、輻射、対流作用により工場の暖房に供するものである。熱媒体は調節弁３０を経て熱媒体戻路１６に流れ、循環ポンプ１７で吸引されて貯留槽９の下部にリターンする循環路を構成する。調節弁３０は暖房熱交換器２８に供給する熱媒体の循環量を制御し、暖房能力を調節するものである。また暖房熱交換器２８に供給する熱媒体の循環量は、ポンプ２９を回転数可変としてもよい。さらに室温を検出し、この検出値に基づいて調節弁３０の開度またはポンプ２９の回転数を制御することによって、設定温度に自動調節することができる。
【００５１】
さらに暖房が不要である場合には、ポンプ２９を駆動停止または調節弁３０を閉止させて、暖房熱交換器２８への熱媒体の供給を止め、暖房の必要性に応じて制御し、無駄な熱放散を防止することができる。
【００５２】
以上のように、被洗浄物の洗浄に加えて工場の暖房までを行う一連の工程の熱源にヒートポンプサイクルの放熱器によって加熱された熱媒体を用いることによって、さらなる省電力を図ることができる。
【００５３】
さらに、ポンプ３２を駆動させることによって、熱媒体を熱媒体供給路１５から給水熱交換器３１に供給し、水道水供給管３４からの水道水を加熱して温水吐出管３５に導き  手洗い、飲用に供するものである。熱媒体は調節弁３３を経て  熱媒体戻路１６に流れ循環ポンプ１７で吸引されて貯留槽９の下部にリターンする循環路を構成する。調節弁３３は給水熱交換器３１に供給する熱媒体の循環量を制御し、加熱能力を調節するものである。
【００５４】
また給水熱交換器３１に供給する熱媒体の循環量は、ポンプ３２を回転数可変として制御してもよい。給水加熱が不要である場合には、ポンプ３２を駆動停止または調節弁３３を閉止させて、給水熱交換器３１への熱媒体の供給を止め、必要性に応じて制御し、無駄な熱放散を防止することができる。
【００５５】
以上のように、洗浄装置のある工場内の暖房または作業者用の手洗い水、飲用水などの給水を含めてヒートポンプサイクルの放熱器によって加熱された熱媒体を用いることによって、さらなる省電力化を図ることができる。
【００５６】
また、熱媒体供給路１５から分岐した熱媒体供給管３６により、開閉弁３７の開閉動作で必要時に洗浄槽１８ａ〜１８ｄに熱媒体を供給するものである。定期的に洗浄槽１８ａ〜１８ｄの洗浄液を排出して各洗浄槽の汚れを洗浄する際に、この高温の熱媒体を供給することによって、各洗浄槽の洗浄をより効果的に行うことができる。さらに各洗浄槽の洗浄後は熱媒体供給管３６から洗浄液としての熱媒体を供給することによって、低温の洗浄液を供給するのに比べ被洗浄物の洗浄を開始するまでの時間を短縮することができる。
【００５７】
水道水供給管３８から供給された補給水である水道水を補給水熱交換器３９、補給水出口管４０を経て洗浄槽１８ｂ、１８ｄに供給するものである。このとき熱媒体を熱媒体供給路１５から補給水熱交換器３９に接触させた後、熱媒体戻管４２、ポンプ４３、調節弁４４を経て熱媒体戻路１６に循環させるものである。また補給水熱交換器３９に供給する熱媒体の循環量は、ポンプ４３を回転数可変としてもよい。さらに補給水出口管４０の温度を検出し、この検出値に基づいて調節弁４４の開度またはポンプ４３の回転数を制御することによって、補給水を設定温度に自動調節することができる。さらに補給水の供給が不要である場合には、ポンプ４３を駆動停止または調節弁４４を閉止させて、熱媒体の供給を止め、補給水の供給の必要性に応じて熱媒体の供給を制御し、無駄な熱放散を防止することができる。
【００５８】
以上のように被洗浄物を洗浄する過程で洗浄槽に補給水を供給して洗浄槽から洗浄液を連続的または間欠的にオーバーフローさせて排水して、洗浄性能を維持するが、この補給水を補給水熱交換器で予熱して供給するので、洗浄槽内の洗浄液の温度変化を少なくすることができる。
【００５９】
補給水である純水を純水装置４５から純水供給管４６、補給水熱交換器４７、補給水出口管４８を経て洗浄槽１８ｆに供給するものである。このとき熱媒体を熱媒体供給路１５から補給水熱交換器４７に接触させた後、熱媒体戻管５０、ポンプ５１、調節弁５２を経て熱媒体戻路１６に循環させるものである。また補給水熱交換器４７に供給する熱媒体の循環量は、ポンプ５１を回転数可変としてもよい。さらに補給水出口管４８の温度を検出し、この検出値に基づいて調節弁５２の開度またはポンプ５１の回転数を制御することによって、補給水を設定温度に自動調節することができる。補給水の供給が不要である場合には、ポンプ５１を駆動停止または調節弁５２を閉止させて、熱媒体の供給を止め、補給水の供給の必要性に応じて乾燥部２４を制御し、無駄な熱放散を防止することができる。
【００６０】
以上のように、被洗浄物を洗浄する過程で洗浄槽に補給水を供給して洗浄槽から洗浄液を連続的または間欠的にオーバーフローさせて排水して、洗浄性能を維持するが、この補給水である純水を補給水熱交換器で予熱して供給するので、洗浄槽内の洗浄液の温度変化を少なくすることができる。
【００６１】
（実施の形態２）
本発明の実施の形態２の洗浄装置を、図２の構成図を参照しながら説明する。図２において図１と同一番号は同一箇所を示し、説明を省略する。図１と基本的に異なるところは、洗浄槽１８ａ〜１８ｆ内の洗浄液１９ａ〜１９ｆを循環させて、貯留槽９から供給された熱媒体と熱交換させるようにしたところにある。
【００６２】
図２において、各洗浄槽１８ａ〜１８ｆに対応して熱媒体管５７内の熱媒体と熱交換させる洗浄液熱交換器５４ａ〜５４ｆ、洗浄液１９ａ〜１９ｆを循環させる循環ポンプ５５ａ〜５５ｆ、さらに洗浄液循環路５６ａ〜５６ｆを設け、これらにより洗浄槽１８ａ〜１８ｆ内の洗浄液１９ａ〜１９ｆを循環させて、貯留槽９から供給された熱媒体と熱交換させるようにしたものである。
【００６３】
貯留槽９内の熱媒体の所定沸き上げ状態を検出し、循環ポンプ１７を駆動して熱媒体供給路１５に供給された高温熱媒体は、各熱媒体管５７内に入り調節弁２３ａ〜２３ｆを経て熱媒体戻路１６に流れ循環ポンプ１７で吸引されて貯留槽９の下部にリターンする循環路を構成する。調節弁２３ａ〜２３ｆは各熱媒体管５７に供給する熱媒体の循環量を調節する。洗浄液熱交換器５４ａ〜５４ｆに供給する洗浄液１９ａ〜１９ｆの循環量は、循環ポンプ５５ａ〜５５ｆの各々を回転数可変としてもよい。さらに洗浄液１９ａ〜１９ｆの各々の温度を検出し、この検出値に基づいてポンプ２２ａ〜２２ｆの回転数を制御することによって、洗浄液１９ａ〜１９ｆの各々を設定温度に自動調節することができる。
【００６４】
実施の形態２の洗浄装置においては、実施の形態１の洗浄装置と同様の効果が得られるものであるが、さらに洗浄槽１８ａ〜１８ｆ内の洗浄液１９ａ〜１９ｆを循環ポンプ５５ａ〜５５ｆで循環させて、貯留槽９から供給された熱媒体と熱交換させるようにしたことによって、洗浄槽１８ａ〜１８ｆ内で洗浄液１９ａ〜１９ｆに強制的な循環流が生じ、洗浄液１９ａ〜１９ｆをより均一な温度に調節することができる。
【００６５】
（実施の形態３）
発明の実施の形態３の洗浄装置を、図３の構成図を参照しながら説明する。図３において図１、図２と同一番号は同一箇所を示し、説明を省略する。特に図２と基本的に異なるところは、前記貯留槽９内から供給する熱媒体を流す順序、および流す経路を選択できるようにしたものである。
【００６６】
図３において、熱媒体供給路１５から暖房熱交換器２８に入った熱媒体は、開閉弁５９、熱媒体戻管６０を経て再び熱媒体供給路１５に流れるように構成され、また熱媒体供給路１５から熱風発生熱交換器２５に入った熱媒体は、開閉弁６１、熱媒体戻管６２を経て再び熱媒体供給路１５に流れるように構成されている。熱媒体供給路１５と連通するバイパス管６３と開閉弁６４を設け、前記熱風発生熱交換器２５に熱媒体を流さないときに、直接熱媒体管５７に熱媒体を流す流路を構成している。さらに洗浄液熱交換器２１ａ〜２１ｆを加熱し、各熱媒体管５７を通過した熱媒体を開閉弁６５、熱媒体分岐戻路６６、熱媒体分岐戻路６７を経て貯留槽９の下部にリターンさせる循環路を構成している。また各熱媒体管５７を通過した熱媒体を開閉弁６８、熱媒体分岐戻路６９、熱媒体分岐戻路７０、熱媒体分岐戻路７１、熱媒体分岐戻路６７を経て貯留槽９の下部にリターンさせる循環路を構成している。
【００６７】
次に本実施の形態における動作を説明する。開閉弁６４、開閉弁６８、開閉弁３７を閉として、開閉弁５９および開閉弁６１を開の状態にすると、熱媒体は暖房熱交換器２８、熱風発生熱交換器２５に流れ、熱媒体戻管６０、熱媒体戻管６２を経た後、熱媒体供給路１５から各々の熱媒体管５７内を流れ、洗浄液熱交換器５４ａ〜５４ｆを順次加熱する。洗浄液熱交換器５４ｆを加熱した後、熱媒体は開閉弁６５、熱媒体分岐戻路６６、熱媒体分岐戻路６７を経て貯留槽９の下部にリターンする。この動作のおいては、工場内の暖房とともに、洗浄槽内１８ａ〜１８ｆの洗浄液１９ａ〜１９ｆの加熱と温度調節、乾燥部２４での被洗浄品の乾燥を行うものである。
【００６８】
また工場内の暖房の必要の無いときには、開閉弁５９を閉、開閉弁６１を開の状態にする。これによって熱媒体は貯留槽９の上部から暖房熱交換器２８を経ないで熱風発生熱交換器２５に流れ、熱媒体戻管６２を経た後、熱媒体供給路１５から各々の熱媒体管５７内を流れ、洗浄液熱交換器５４ａ〜５４ｆを順次加熱する。洗浄液熱交換器５４ｆを加熱した後、熱媒体は開閉弁６５、熱媒体分岐戻路６６、熱媒体分岐戻路６７を経て貯留槽９の下部にリターンする。
【００６９】
さらに洗浄液１９ａ〜１９ｆの温度を一定温度まで上昇させる途中の段階で、まだ乾燥部２４での被洗浄品の乾燥が必要無いときには、開閉弁５９、開閉弁６１を閉とする。これによって熱媒体は貯留槽９の上部から熱風発生熱交換器２５、暖房熱交換器２８を経ないで、熱媒体供給路１５と連通するバイパス管６３と開閉弁６４を流れて熱媒体管５７内に供給され、洗浄液１９ａ〜１９ｆを集中して加熱することができる。また開閉弁６４を開として、開閉弁６１の開度を調節することによって、熱風発生熱交換器２５に熱媒体を少量流し予熱させておくこともできる。
【００７０】
また、開閉弁６５、開閉弁３７を閉とし、開閉弁６８を開とした状態を説明する。熱媒体供給路１５から各々の熱媒体管５７内を流れる熱媒体は、洗浄液熱交換器５４ａ〜５４ｆを順次加熱し、洗浄液熱交換器５４ｆを加熱した後、熱媒体は開閉弁６８、熱媒体分岐戻路６９に流れ、純水用の補給水熱交換器４７、水道水用の補給水熱交換器３９を加熱して熱媒体分岐戻路７０を経て、手洗い等に用いる水道水の給水熱交換器３１を加熱し、さらに熱媒体分岐戻路７１、熱媒体分岐戻路６７を経て貯留槽９の下部にリターンする。また、給水熱交換器３１で水道水を加熱して手洗い、飲用に供する場合は、水道水供給管３４に設けた開閉弁（図示なし）の操作で行う。
【００７１】
以上のように本実施の形態においては、貯留槽９から熱媒体を流す順序および流す経路を選択できるようにしたもので、さまざまな状況に対して最適な運転を行うことができるものである。
【００７２】
前記の実施の形態１、実施の形態２と同様に、洗浄槽１８ａ、１８ｂの洗浄剤を含む水道水を用いた洗浄液１９ａ、１９ｂの温度を６０度Ｃ、洗浄槽１８ｃ、１８ｄの水道水を用いた洗浄液１９ｃ、１９ｄの温度を４０度Ｃ、洗浄槽１８ｅ、１８ｆの純水を用いた洗浄液１９ｅ、１９ｆの温度を４０度Ｃに設定し、さらに被洗浄物は、洗浄液１９ａ〜１９ｆの順に浸漬、移動させて洗浄するものであるが、常温の被洗浄物は最初に洗浄液１９ａに浸漬されるので、この洗浄液１９ａが被洗浄物によって冷却され温度が低下しやすく、以降被洗浄物が洗浄液１９ｂ〜１９ｆに移動するにしたがって冷却される度合いは減ることになる。またより高温に設定した洗浄液１９ａ、１９ｂおよび洗浄槽１８ａ、１８ｂからの熱放散も多くなる。
【００７３】
したがって、異なる温度に設定した複数の洗浄液１９ａ〜１９ｆの内、より高温に設定された洗浄液１９ａ、１９ｂの洗浄液熱交換器５４ａ、５４ｂ側から、より低温に設定された洗浄液の洗浄液熱交換器１９ｃ〜１９ｆ側を加熱するように、前記貯留槽９内の高温の熱媒体を順次供給して貯留槽にリターンさせることによって、洗浄液の温度変化にも迅速に応答して各洗浄液を設定温度に精度よく調節、維持することができる。さらに各洗浄液１９ａ〜１９ｆを効果的に加熱するとともに熱媒体の熱を有効に活用することができる。
【００７４】
また、熱風発生熱交換器２５または暖房熱交換器２８には、洗浄液１９ａ〜１９ｆの加熱よりもさらに高温の熱媒体を必要とする。特に熱風を発生させて被洗浄物を迅速に乾燥させるために、熱風発生熱交換器２５には高温の熱媒体を必要とする。したがって、貯留槽９内の熱媒体を、空気と前記熱媒体との熱交換を行う熱風発生熱交換器２５または暖房熱交換器２８を加熱するように供給した後、複数の洗浄液熱交換器１９ａ〜１９ｆ側を加熱するように順次供給して貯留槽にリターンさせることによって、被洗浄物を迅速に乾燥させることができるとともに、熱媒体の熱を有効に活用することができる。
【００７５】
また、補給水出口管４０を経て必要に応じて洗浄槽１８ｂ、１８ｄに供給する補給水である水道水を加熱する補給水熱交換器３９、補給水出口管４８を経て必要に応じて洗浄槽１８ｆに供給する補給水である純水を加熱する補給水熱交換器４７には、洗浄液１９ａ〜１９ｆの加熱よりも必要とする熱負荷が少ない。または水道水供給管３４からの水道水を加熱する給水熱交換器３１は、補助的に手洗い、飲用に供するものである。
【００７６】
したがって、貯留槽９内の熱媒体を、複数の洗浄液熱交換器１９ａ〜１９ｆ側を加熱するように供給した後、補給水熱交換器または給水加熱熱交換器を加熱するように順次供給して貯留槽にリターンさせることによって、各洗浄液１９ａ〜１９ｆを設定温度に精度よく調節、維持することができるとともに、熱媒体の熱を有効に活用することができる。
【００７７】
（実施の形態４）
発明の実施の形態４の洗浄装置を、図４の要部構成図を参照しながら説明する。図４において図１〜図３と同一番号は同一箇所を示し、説明を省略する。特に図１〜図３と異なるところは、熱媒体の貯留循環路１２の熱媒体熱交換器１０に流入する熱媒体が所定温度以下となるように、前記熱媒体熱交換器１０の入口側に熱媒体の放熱手段を設けたものである。
【００７８】
前記したように、圧縮機１から吐出する臨界圧力以上の高温高圧の冷媒が放熱器２に流入し、ここで循環ポンプ１１により貯留槽９下部から送られてきた熱媒体である水と熱媒体熱交換器１０を介して熱交換する。そして、放熱器２に流入する高温冷媒と熱媒体熱交換器１０から流出する熱媒体（水）を対向流にして熱交換し、放熱器２に流入する高温冷媒で所定の温度に加熱して熱媒体熱交換器１０から貯留槽９の上部へもどす。一方、放熱器２に流入した高温冷媒は放熱作用によって、温度を下げて放熱器２から流出して減圧装置３に流入する。そして、減圧された冷媒を空気熱交換器４に流す。空気熱交換器４に流れた冷媒は大気熱を吸熱して圧縮機１に吸引される。ヒートポンプユニット６の運転を行って、貯留槽９内に例えば９０度Ｃの高温の熱媒体を貯留する。貯留槽９内の熱媒体は、熱媒体供給路１５に流れ、熱風発生熱交換器２５、洗浄液熱交換器５４ａ〜５４ｆ等を加熱した後、熱媒体戻路１６、循環ポンプ１７を経て、貯留槽９の下部へリターンさせる。
【００７９】
貯留循環路１２に位置する熱媒体熱交換器１０の熱媒体の流入する側に、開閉弁７２、温度検出器７９を設け、さらに貯留槽９の下部の貯留循環路１２から分岐した放熱往管７４、開閉弁７３、放熱熱交換器７５、放熱戻管７６を連通させ、前記放熱戻管７６を開閉弁７２と循環ポンプ１１の間の貯留循環路１２に連通させてある。また放熱熱交換器７５はタンク７７内に位置し、水道水供給管８０から供給された水道水を加熱し、吐出管７８から湯水と利用する。前記開閉弁７２、開閉弁７３、温度検出器７９で熱媒体の流れを変える切替手段を構成しているものである。
【００８０】
このような構成において、温度検出器７９が例えば３５度Ｃ以下を検出したときは、開閉弁７２を開、開閉弁７３を閉として熱媒体を貯留循環路１２で循環させて通常の運転を行う。温度検出器７９が例えば３５度Ｃ以上を検出したときは、開閉弁７３を開、開閉弁７２を閉に切り替えて熱媒体を放熱熱交換器７５に流し、タンク７７内の水に放熱して放熱戻管７６から貯留循環路１２に戻って循環するもので、前記熱媒体熱交換器１０に流入する熱媒体が例えば３５度Ｃの所定温度以上にならないように制御するものである。
【００８１】
特に放熱器２から熱媒体熱交換器１０への熱交換量が減少し、冷媒回路５の圧力が上昇して、圧力検出器７の検知による圧縮機１の頻繁な運転、停止が起った場合、圧縮機１は、停止後の数分間（例えば３分から５分）再運転を開始することができないため、この間貯留槽９の上部に例えば９０度Ｃの熱媒体を供給できず、貯留槽９内の特に上部の熱媒体の温度の低下、不安定さを引き起こす。このため熱媒体供給路１５に高温で安定した熱媒体を供給することができない。また頻繁な運転、停止動作は、圧縮機１の耐久性からも好ましくない。
【００８２】
これに対して本実施の形態においては、前記熱媒体熱交換器１０に流入する熱媒体が例えば３５度Ｃの所定温度以上にならないように制御することによって、圧縮機１が回転数を可変するインバータ制御方式でなくても、放熱器２から熱媒体熱交換器１０への熱交換量が減少することによる冷媒回路５の圧力上昇を抑えて、圧力検出器７の検知による圧縮機１の頻繁な運転、停止を抑制できる。これによって熱媒体供給路１５に高温で安定した熱媒体を供給することができるとともに圧縮機１の耐久性を向上させ、さらに放熱熱交換器７で熱媒体の保有熱を有効に活用することができる。
【００８３】
なお、本実施の形態においては、放熱熱交換器７による放熱の手段を示したが、クーリングタワー等の別の手段を用いてもよい。
【００８４】
（実施の形態５）
発明の実施の形態５の洗浄装置を、図５の構成図を参照しながら説明する。図５において図１〜図３と同一番号は同一箇所を示し、説明を省略する。特に図１〜図３と異なるところは、空気熱交換器４の出口の冷媒をより高温に加熱する高温化熱交換器８２を設け、前記高温化熱交換器８２で熱媒体から冷媒に熱交換させるものである。
【００８５】
空気熱交換器４の出口側に温度検出器８１を設け、また前記空気熱交換器４の出口側と圧縮機１の入口側の間に高温化熱交換器８２を設けて順次環状に接続してなる冷媒回路５を有したヒートポンプサイクルを構成している。前記高温化熱交換器８２と熱媒体戻熱交換器８３は熱交換関係を有して設け、熱媒体戻路１６からの熱媒体を熱媒体戻熱交換器８３に流し、高温化熱交換器８２で冷媒を加熱する。熱媒体戻路１６に連通して開閉弁８５、８６を設け、開閉弁８６はバイパス管８７に位置している。また熱媒体戻路１６には熱媒体の温度を検出する温度検出器８４を設けている。
【００８６】
このような構成において、空気熱交換器４出口側の冷媒温度よりも熱媒体戻路１６からの熱媒体温度が高く、空気熱交換器４出口の冷媒が所定温度以下のときは、開閉弁８６を閉、開閉弁８５を開として熱媒体戻路１６からの熱媒体を熱媒体戻熱交換器８３に流し、高温化熱交換器８２で冷媒を加熱する。そして空気熱交換器４出口の冷媒温度より高温熱交換器８２出口の冷媒温度を高くして圧縮機１吸入の冷媒温度を高温過熱ガスにし、圧縮機１出口の冷媒温度を高温にする。これによって、熱媒体戻路１６からの熱媒体の保有熱を活用し、ヒートポンプサイクル高効率化を図ることができる。
【産業上の利用可能性】
【００８７】
洗浄を必要とする各種の物品の洗浄装置にも適用できる。
【図面の簡単な説明】
【００８８】
【図１】本発明の実施の形態１の洗浄装置の構成図
【図２】本発明の実施の形態２の洗浄装置の構成図
【図３】本発明の実施の形態３の洗浄装置の構成図
【図４】本発明の実施の形態４の洗浄装置の要部を示す構成図
【図５】本発明の実施の形態５の洗浄装置の要部を示す構成図
【符号の説明】
【００８９】
１    圧縮機
２    放熱器
３    減圧装置
４    空気熱交換器
５    冷媒回路
６    ヒートポンプユニット
７    圧力検出器
８    温度検出器
９    貯留槽
１０    熱媒体熱交換器
１１    循環ポンプ
１２    貯留循環路
１３    温度検出器
１４ａ〜１４ｃ    温度検出器
１５    熱媒体供給路
１６    熱媒体戻路
１７    循環ポンプ
１８ａ〜１８ｆ    洗浄槽
１９ａ〜１９ｆ    洗浄液
２０    オーバーフロー管
２１ａ〜２１ｆ    洗浄液熱交換器
２２ａ〜２２ｆ    ポンプ
２３ａ〜２３ｆ    調節弁
２４    乾燥部
２５    熱風発生熱交換器
２６    ポンプ
２７    調節弁
２８    暖房熱交換器
２９    ポンプ
３０    調節弁
３１    給水熱交換器
３２    ポンプ
３３    調節弁
３４    水道水供給管
３５    温水吐出管
３６    熱媒体供給管
３７    開閉弁
３８    水道水供給管
３９    補給水熱交換器
４０    補給水出口管
４１    熱媒体入口管
４２    熱媒体戻管
４３    ポンプ
４４    調節弁
４５    純水装置
４６    純水供給管
４７    補給水熱交換器
４８    補給水出口管
４９    熱媒体入口管
５０    熱媒体戻管
５１    ポンプ
５２    調節弁
５３    水道水供給管
５４ａ〜５４ｆ    洗浄液熱交換器
５５ａ〜５５ｆ    循環ポンプ
５６ａ〜５６ｆ    洗浄液循環路
５７    熱媒体管
５８    開閉弁
５９    開閉弁
６０    熱媒体戻管
６１    開閉弁
６２    熱媒体戻管
６３    バイパス管
６４    開閉弁
６５    開閉弁
６６    熱媒体分岐戻路
６７    熱媒体分岐戻路
６８    開閉弁
６９    熱媒体分岐戻路
７０    熱媒体分岐戻路
７１    熱媒体分岐戻路
７２    開閉弁（切替手段）
７３    開閉弁（切替手段）
７４    放熱往管
７５    放熱熱交換器（放熱手段）
７６    放熱戻管
７７    タンク
７８    吐出管
７９    温度検出器（切替手段）
８０    水道水供給管
８１    温度検出器
８２    高温化熱交換器
８３    熱媒体戻熱交換器
８４    温度検出器
８５    開閉弁
８６    開閉弁
８７    バイパス管
【図１】
2005199119.tif 000003
【図２】
2005199119.tif 000004
【図３】
2005199119.tif 000005
【図４】
2005199119.tif 000006
【図５】
2005199119.tif 000007